(57)【特許請求の範囲】
【請求項１】
戸の室内側面に取付けるユニット本体と、ユニット本体に回転自在に保持された係合部材と、ユニット本体内に配置した連動機構とを備え、係合部材は、ユニット本体から戸側に突出する係合突部と、ユニット本体の室内側面に設けた開口から室内側に臨む係合凹部とを有し、係合突部は、戸内に取付けた錠ボックスのサムターン係合孔に係合し、戸の室外側面に設けたシリンダー錠と連動自在に繋ぐものであり、係合凹部は、サムターン係合孔に係合自在なサムターンが係合するものであり、連動機構は、係合突部で連動自在に繋いだシリンダー錠とは別に設けた他の錠に係合部材の回転運動を伝達するものであり、シリンダー錠及びサムターンの操作により他の錠が施解錠するものであり、戸は扉であり、扉の室内側に水平に架設した手摺を有し、他の錠が手摺内に収納した閂錠であることを特徴とする錠ユニット。
【発明の詳細な説明】
【技術分野】
【０００１】
本発明は、勝手口や玄関等の扉や引戸に取付けられる錠ユニットに関する。
【背景技術】
【０００２】
図１３は、玄関や勝手口等の扉に設けられる一般的な掘込み型の錠を示している。この錠は、扉９０内部に箱形の錠ボックス９１を埋め込み、扉の室外側にはシリンダー錠９２とレバーハンドル９３を取付け、扉の室内側にはサムターン９４とレバーハンドル９５が取付けてある。シリンダー錠９２とサムターン９４とは錠ボックスを挟んで対向する位置に設けてあり、シリンダー錠に鍵を差し込んで回すかサムターンを回すことで錠ボックス９１内に設けたデッドボルト駆動部材が回転し、デッドボルト９６が錠ボックスより出没する。また、室外側と室内側の何れかのレバーハンドル９３，９５を回すことで錠ボックス９１内に設けたラッチボルト駆動部材が回転し、ラッチボルト９７が錠ボックス内に引っ込む。
近年、錠ボックスと竪枠の錠受けとの隙間にバール等を差し込み、錠をこじ開けて浸入される被害が増大している。その対策として、一つの扉に二つの錠を取付けて１ドア２ロックとする対策が採られる。
【０００３】
特許文献１には、既存の掘込みケース（錠ボックス）の室内側にジョイント７３を取付け、扉の室内側面に取付ける面付けケース７０のサムターン軸７１をジョイント７３と組み合わせ、面付けケースに取り付けた一個のサムターン６９の操作により、両ケース内のデッドボルトを連動して施解錠できるようにしたものが記載されている。このような錠では、ジョイント７３の取付けが煩雑である。また面付けケースの中にデッドボルト（デッドバー）を設けていることから面付けケースに厚みが必要であり、面付けケースがいかにも取って付けたようになって扉の室内側の意匠性が損なわれる。
また、従来の扉のハンドルには、ノブ式のものとレバー式のものとがある。これらのハンドルは、握力の弱いお年寄りや子供にとって操作しづらく、またハンドルを片手で持って扉を開けなければならないため、重い扉だと開けるのが困難である。またいずれのハンドルの場合でも、扉を開けて室外に出るときには、図１２に示すように、ハンドル９５を握ったまま扉９０を避けるように横に動いて出なければならないため、お年寄りや身体の不自由な人にとっては扉の出入りが容易ではなかった。
【特許文献１】特開２００３−３４３１３５号公報（第３頁、第７図）
【発明の開示】
【発明が解決しようとする課題】
【０００４】
本発明は以上に述べた実情に鑑みてなされたものであって、請求項１記載の発明は、戸に既に取付けてある錠ボックスとシリンダー錠を利用して簡単に２ロックとすることができる錠ユニットの提供を目的とする。さらに請求項２記載の発明は、戸が扉の場合にお年寄りや身体の不自由な人でも容易に扉の出入りができるようにすることが可能な錠ユニットの提供を目的とする。
【課題を解決するための手段】
【０００５】
上記の課題を達成するために請求項１記載の発明による錠ユニットは、戸の室内側面に取付けるユニット本体と、ユニット本体に回転自在に保持された係合部材と、ユニット本体内に配置した連動機構とを備え、係合部材は、ユニット本体から戸側に突出する係合突部と、ユニット本体の室内側面に設けた開口から室内側に臨む係合凹部とを有し、係合突部は、戸内に取付けた錠ボックスのサムターン係合孔に係合し、戸の室外側面に設けたシリンダー錠と連動自在に繋ぐものであり、係合凹部は、サムターン係合孔に係合自在なサムターンが係合するものであり、連動機構は、係合突部で連動自在に繋いだシリンダー錠とは別に設けた他の錠に係合部材の回転運動を伝達するものであり、シリンダー錠及びサムターンの操作により他の錠が施解錠するものであり、戸は扉であり、扉の室内側に水平に架設した手摺を有し、他の錠が手摺内に収納した閂錠であることを特徴とする。
【発明の効果】
【０００７】
請求項１記載の発明による錠ユニットは、戸の室内側面に取付けるユニット本体に係合部材が回転自在に保持してあり、係合部材は、ユニット本体から戸側に突出する係合突部と、ユニット本体の室内側面に設けた開口から室内側に臨む係合凹部とを有し、戸の室内側面に既に取付けてあるサムターンをいったん取外してユニット本体を戸の室内側面に取付け、サムターンをユニット本体の室内側面に取付けるだけで、係合突部が戸内の錠ボックスのサムターン係合孔に係合して戸の室外側面に設けたシリンダー錠と連動自在に繋がり、係合凹部にサムターンが係合するので、既存のシリンダー錠と錠ボックスをそのまま利用して後から簡単に２ロックにでき、設置が容易であると共に低コストで防犯性が高められる。係合部材の係合凹部は、錠ボックスのサムターン係合孔に係合自在なサムターンが係合するようにしているので、戸から取外したサムターンをそのまま利用することができるし、新しく用意した市販のサムターンを取付けることもできる。また、ユニット本体内に、係合突部で連動自在に繋いだシリンダー錠とは別に設けた他の錠に係合部材の回転運動を伝達する連動機構を備え、シリンダー錠及びサムターンの操作により他の錠が施解錠するので、通常の操作で他の錠を錠ボックスの錠と連動して施解錠でき、操作性が良い。
【０００８】
さらに本発明による錠ユニットは、上記の効果に加え、他の錠を手摺内に収納した閂錠とすることで、他の錠を扉の意匠性を損なうことなくすっきりと配設することができ、しかも閂錠は室外からバール等で直接攻撃されることがなく、且つ掛かりの大きい堅牢なものとすることができるので、防犯性が高い。また、扉の室内側に水平に架設した手摺を有しているので、手摺を掴むことでお年寄りや身体の不自由な人でも扉を開けて外に出るのが容易となる。
【発明を実施するための最良の形態】
【０００９】
以下、本発明の実施の形態を図面に基づいて説明する。図９は、本発明の錠ユニットを室内側に取付けた扉１の正面図であり、図２は、錠ユニットを拡大して示す正面図であり、図４は、錠ユニットの側面図である。この錠ユニットは、図１３に示すような一般的な掘り込み型の錠が取付けられている扉に後から追加して取付けて、簡単に１ドア２ロックにして防犯性を高めることができるように作られており、尚且つお年寄りや身体の不自由な人が扉を開けて外に出るのが容易となるようにユニバーサルデザインにも配慮したものとなっている。
【００１０】
扉１は、図９に示すように、左側の端部をヒンジ１２で竪枠１３ａに支持し、ヒンジ１２を支点として室外側に開くようにしてある。扉１の上下方向中間部右側の内部には、錠ボックス６が埋め込まれており、錠ボックス６は、図２と図４に示すように、デッドボルト１４とラッチボルト１５と、これらを駆動させる駆動部材を有している。扉１の室内側面には長座２がネジ１６，１７で取付けてあり、長座２の上部室内側面にはサムターン７がネジ１８で取付けてある。さらに長座２の室内側面下部には、右手摺支持部材１９がネジ１７で長座２と共締めして取付けてあり、長座２の中間部からは、ラッチレバー２０が左側に突出している。扉１の室内側面の左側端部には、左手摺支持部材２１がネジで取付けてあり、左右の手摺支持部材１９，２１に両端部を支持して手摺１１が扉１の横幅いっぱいに水平に架設されている。手摺１１はステンレス等の丸パイプで形成してあり、右側の端部内に丸棒状の閂錠１０が出没可能に収納してある。右側の竪枠１３ｂの室内側面には、閂錠１０先端部が係脱する錠受け具２２が取付けてある。
図４に示すように、扉１の室外側面のサムターン７と対向する位置には、シリンダー錠２３が取付けてあり、シリンダー錠２３の下方にレバーハンドル２４が取付けてある。
【００１１】
長座２内の上部には、図１と図５に示すように、係合部材３が回転自在に保持してある。係合部材３は、長座２から扉１側に突出する係合突部３ａを有しており、係合突部３ａは、図６に示すように、丸軸の周囲の４箇所に突条を放射状に形成した略＋字形断面に形成され、係合突部３ａが扉１内の錠ボックス６内に挿入されて、デッドボルト駆動部材２５に形成してあるサムターン係合孔９（図１０参照）と係合し、係合部材３が回転することでデッドボルト駆動部材２５が回転し、デッドボルト１４が錠ボックス６から出没する。係合部材３は、扉１室外側面に設けたシリンダー錠２３の中心軸と同軸上に位置し、シリンダー錠２３は室外側から錠ボックス６のデッドボルト駆動部材２５に係合し、係合部材３とシリンダー錠２３とは連動自在に繋がっている。シリンダー錠２３にキーを差し込んで回したときにもデッドボルト駆動部材２５が回転してデッドボルト１４が出没し、このとき係合部材３も係合突部３ａでシリンダー錠２３と連動自在に繋がっているために、シリンダー錠２３の操作と連動して一緒に回転する。係合部材３の室内側面には、穴状の係合凹部３ｃが設けてある。係合凹部３ｃは、係合突部３ａと係合し得るようなサムターン係合孔９と同じ形状の略＋字形断面に形成され、長座２の室内側面に設けた開口４から室内側に望んでいる。係合部材３の長座２内に保持した部分の外周部にはギア部３ｂが設けてある。
サムターン７は、台座７ａとサムターン軸７ｂとサムターン摘み７ｃとを備え、サムターン軸７ｂの先端部は、係合突部３ａと同一の略＋字形断面に形成してあり、サムターン７を長座２の室内側面に取付けると、サムターン軸７ｂの先端部が開口４より長座２内に差し込まれて係合部材３の係合凹部３ｃと係合する。したがって、サムターン摘み７ｃを回せば、係合部材３が一緒に回転する。なお、サムターン軸７ｂの先端部は、錠ボックス６のサムターン係合孔９にも係合自在である。サムターン摘み７ｃは着脱自在であり、サムターン摘み７ｃを取外しておくことで、いわゆるサムターン回しによる不正解錠を阻止することができる。
【００１２】
長座２内部の係合部材３の下方には、係合部材３のギア部３ｂと噛み合う伝動ギア２６が回転自在に保持してある。また長座２内部の左側には、錠操作伝達プレート２７が上下方向に移動自在に保持してある。錠操作伝達プレート２７は、図５と図６に示すように、上部と下部にラック部２７ａ，２７ｂを設けてあり、上部のラック部２７ａは長座２内の伝動ギア２６と噛み合い、下部のラック部２７ｂは長座２の室内側面から左側に突出して形成してあり、後述する右手摺支持部材１９の裏面側（室外側）に取付けた伝動ギア２８の小ギア２８ａと噛み合っている。
【００１３】
右手摺支持部材１９は、図３に示すように、裏面側の下部に伝動ギア収納部２９を形成し、伝動ギア収納部２９の垂直面に伝動ギア２８を軸着している。伝動ギア２８は小ギア２８ａと大ギア２８ｂを一体に固着してあり、小ギア２８ａが錠操作伝達プレート２７下部のラック部２７ｂと噛み合っている。また右手摺支持部材２１の裏面側の傾斜した上面３０には、閂錠駆動部材３１がボルトで軸着してある。閂錠駆動部材３１は、ギア３１ａと閂錠駆動レバー３１ｂとを一体に固着してなり、ギア３１ａは伝動ギア２８の大ギア２８ｂと噛み合い、閂錠駆動レバー３１ｂは手摺１１内の閂錠１０に向ってのびている。施解錠操作のためにサムターン摘み７ｃを９０°回すと、その回転が係合部材３と伝動ギア２６、錠操作伝達プレート２７、伝動ギア２８とで構成される連動機構８を介して伝達され、閂錠駆動部材３１が９０°回転する。
【００１４】
閂錠１０は、金属の丸棒から形成してあり、閂錠駆動部材３１と対向する面に閂錠駆動レバー３１ｂとの係合部３２を設けてある。係合部３２は、角穴３２ａと、角穴３２ａの両側に設けた突起３２ｂ，３２ｃとで構成され、閂錠１０は、図７に示すように、手摺１１の右側端部に形成したスリット３３に突起３２ｂ，３２ｃを差し込んで回り止めし、手摺１１の中空部内にスライド自在に収納している。図７中の符号３４は、閂錠１０が手摺１１から抜けるのを防ぐ抜け止めピンである。サムターン７が解錠状態にあるときには、図７(ａ)に示すように、閂錠駆動レバー３１ｂが左側に４５°傾いた状態となっており、閂錠駆動レバー３１ｂの先端面が閂錠１０の左側の突起３２ｂの傾斜面に当接し、閂錠１０が後退限で移動不能にロックされる。図７（ｂ）は、サムターン７操作中の状態を示しており、閂錠駆動レバー３１ｂの先端部が閂錠１０の角穴３２ａ内に差し込まれ、閂錠駆動レバー３１ｂの回転に伴って閂錠１０が右側にスライドする。サムターン７が施錠状態にあるときには、図７（ｃ）に示すように、閂錠駆動レバー３１ｂが右側に４５°傾く状態となり、閂錠駆動レバー３１ｂの先端面が閂錠１０の右側の突起３２ｃの傾斜面に当接し、閂錠１０が前進限で移動不能にロックされ、閂錠１０の先端部が錠受け具２２の孔２２ａに差し込まれる。閂錠１０の錠受け具２２との掛かり量は２０ｍｍ近くとってあり、錠ボックス６内のデッドボルト１４による施錠と合わせて、強力に扉１が施錠されることとなる。
【００１５】
長座２の中間部には、図１に示すように、第二の係合部材３５が回転自在に保持してある。第二の係合部材３５は、室外側のレバーハンドル２４の軸と同軸上に位置しており、扉側に突出する係合突部３５ａは角棒状に形成してあって、錠ボックス６内のラッチボルト駆動部材（図示省略）に形成したハンドル軸係合孔３８（図１０参照）に室内側から係合している。また、ラッチボルト駆動部材のハンドル軸係合孔３８には、室外側からレバーハンドル２４の軸が係合している。第二の係合部材３５の長座２内に保持した室内側端部の外周には、図５に示すように、ギア部３５ｂを設けてある。
長座２内部の右側には、ラッチ操作伝達プレート３６が上下方向に移動自在に保持してある。ラッチ操作伝達プレート３６は、上部と下部にラック部３６ａ，３６ｂを有し、上部のラック部３６ａが第二の係合部材３５のギア部３５ｂと噛み合っている。
長座２内部の第二の係合部材３５の下方には、室内側ラッチレバー軸３７が回転自在に保持してあり、室内側ラッチレバー軸３７に室内側のラッチレバー２０の基端部２０ａが連結されている。室内側ラッチレバー軸３７は、外周にギア部３７ａを設けてあり、ギア部３７ａがラッチ操作伝達プレート３６の下部側のラック部３６ｂと噛み合っている。そのため、室内側のラッチレバー２０を操作して室内側ラッチレバー軸３７が回転すると、その回転がラッチ操作伝達プレート３６と第二の係合部材３５を介して錠ボックス６内のラッチボルト駆動部材に伝達され、ラッチボルト１５が錠ボックス６内に引っ込んで扉を開けられる状態になる。
【００１６】
室内側ラッチレバー軸３７は、図２に示すように、手摺１１と同じ高さに位置しており、ラッチレバー２０は、通常時は、手摺１１の上側に１５°程度の傾きで斜めに突出するようにバネで保持してある。またラッチレバー２０は、手掛け部２０ｂが手摺１１の室外側に接近して配置してあり、図８に示すように、手掛け部２０ｂを手摺１１といっしょに上から握ったときに、ラッチレバー２０が室内側ラッチレバー軸３７を支点として下方に回転して手摺１１と平行になり、ラッチボルト１５の係合が解除されるようにしている。ラッチレバー２０の手掛け部２０ｂの断面は、室外側上部２０ｃに手指にフィットするように丸みを持たせ、室内側上部２０ｄを手摺１１の外周に沿って湾曲形成し、下部２０ｅを薄肉に形成してある。
【００１７】
本錠ユニットを扉１に取付けるにあたっては、まず扉の室内側に既に取付けてあるサムターン９４とレバーハンドル９５を取外す。その後、長座２を扉１室内側面に取付けるだけで、長座２から扉１側に突出する二つの係合突部３ａ，３５ａが、扉１内にある錠ボックス６のデッドボルト駆動部材２５のサムターン係合孔９とラッチボルト駆動部材のハンドル軸係合孔３８にそれぞれ係合するので、面倒な作業をすることなく簡単に取付けできる。サムターン７を長座２の室内側面に取付ければ、サムターン軸７ｂが係合部材３の係合凹部３ｃに係合する。サムターン７は、先に取外したものを長座２の室内側面に再度取付けてもよいし、新しいものを取付けてもよい。
【００１８】
本錠ユニットの使用方法を述べると、室内側から施解錠するときは、従来通りサムターン摘み７ｃを９０°回転させるだけで、錠ボックス６のデッドボルト１４と閂錠１０とが連動して出没し、簡単に施解錠できる。室外側からも、従来通りシリンダー錠２３にキーを差し込んで回すだけで、デッドボルト１４と閂錠１０を連動して施解錠できる。閂錠１０は、手摺１１内に収納しているので、扉１室内側の意匠性が損なわれず、しかも閂錠１０は室内側にオフセットしているので室外側からバール等で攻撃されることがなく、且つ錠受け具２２への掛かり量が大きい上、丈夫な金属製の中実丸棒を使用しており変形することもないから、防犯性が極めて高い。
扉を開けて室外に出るときには、手摺１１の右側端部をラッチレバー２０と共に上から握ることで、ラッチボルト１５の解除を自然に行うことができ、後は握った手摺１１をそのまま室外側に押せば扉１が開き、容易に扉が開けられる。また扉１の室内側に横幅いっぱいに手摺１１が取付けてあるので、重い扉を子供が開けるときでも手摺１１を両手で握ることで容易に開けることができるし、手摺１１の握る位置を長手方向に適宜ずらすことができるため、図１１に示すように、まっすぐに歩いて室外に出ることが可能となり、手摺１１につかまることが歩く補助にもなるので、お年寄りや身体の不自由な人にとって扉の出入りが容易になる。  
【００１９】
本発明は、以上に述べた実施形態に限定されない。本発明の錠ユニットは、扉に限らず、引戸に用いることもできる。他の錠としては、閂錠以外の種々の形態の錠を使用することができる。本発明の錠ユニットは、戸に後付けする際に簡単に取付けできるように配慮したものではあるが、新しい戸に使用できることはいうまでもない。
【図面の簡単な説明】
【００２０】
【図１】サムターンを取外した状態での図２のＡ−Ａ断面図である。
【図２】本発明の錠ユニットの正面図である。
【図３】図２のＢ−Ｂ断面図である。
【図４】本発明の錠ユニットの扉への取付状態を示す側面図である。
【図５】図４のＣ−Ｃ断面図である。
【図６】閂錠を施解錠動作させるための連動機構の構成を示す斜視図である。
【図７】閂錠の施解錠動作を示す横断面図であって、（ａ）は解錠状態、（ｂ）は閂錠が動いているときの状態、（ｃ）は施錠状態をそれぞれ示している。
【図８】ラッチボルトの係合を解除するために、ラッチレバーを手摺と一緒に握ったときの状態を示す縦断面図である。
【図９】本発明の錠ユニットを取付けた扉の室内側から見た正面図である。
【図１０】ユニット本体を取付ける前の扉の室内側面図である。
【図１１】本発明の錠ユニットを取付けた扉を開けて室外に出るときの様子を順に示す平面図である。
【図１２】従来の扉を開けて室外に出るときの様子を順に示す平面図である。
【図１３】従来の一般的な掘り込み型の錠を示す斜視図であって、（ａ）が室内側、（ｂ）が室外側を示している。
【符号の説明】
【００２１】
１  扉（戸）
２  長座（ユニット本体）
３  係合部材
３ａ  係合突部
３ｃ  係合凹部
４  開口
６  錠ボックス
７  サムターン
８  連動機構
９  サムターン係合孔
１０  閂錠（他の錠）
１１  手摺
２３  シリンダー錠
【図１】
0004619273.tif 000002
【図２】
0004619273.tif 000003
【図３】
0004619273.tif 000004
【図４】
0004619273.tif 000005
【図５】
0004619273.tif 000006
【図６】
0004619273.tif 000007
【図７】
0004619273.tif 000008
【図８】
0004619273.tif 000009
【図９】
0004619273.tif 000010
【図１０】
0004619273.tif 000011
【図１１】
0004619273.tif 000012
【図１２】
0004619273.tif 000013
【図１３】
0004619273.tif 000014